(57)【要約】【課題】従来のものは、遊技レールと装飾部材を一体化させることにより遊技盤への取り付け作業を簡略化していたが、装飾部材は設計変更の頻度が高いため遊技レールが特定の機種のための専用部材となってしまうという課題があった。【解決手段】サイドランプ７１は、カバー部材７１ａと遊技レール３３と一体成型されたベース部３７とで構成される。予め、カバー部材７１ａに設けられた係止爪７１ｂをベース部材３７に設けられた係合溝３７ａに係合させて、カバー部材７１ａと遊技レール３３とを一体化させ、当該一体部材を遊技盤３０に組み付ければ、カバー部材７１ａを個別に位置決め、固定することなく遊技盤３０に組み付けることが可能となる。一方、遊技レール３３と一体化可能な装飾部材は、係合溝３７ａに係合可能なものであればよく、他のものに変更可能である。従って、遊技レール３３を汎用的に使用することが可能である。【選択図】  図３
2004267543.tif 000002
【特許請求の範囲】
【請求項１】
遊技球の流下が行われる遊技領域を区画する遊技レールの付近に装飾ユニットが配設される遊技機において、
上記装飾ユニットは、上記遊技レールと予め一体化させられるベース部と、
上記ベース部に取り付けられる付加部とを具備することを特徴とする遊技機。
【発明の詳細な説明】
【０００１】
【発明の属する技術分野】
本発明は、遊技機に関し、特に遊技レールにより区画された遊技領域にて遊技球を利用した遊技を行う遊技機に関する。
【０００２】
【従来の技術】
従来、この種の遊技機は、独立して形成されたサイドランプ等を遊技レール近辺の遊技盤面にネジ止めにより取り付けたもの（例えば、特許文献１、２参照。）や、サイドランプ等の装飾部材が遊技レールと一体化したもの（例えば、実用新案文献１参照。）が知られている。
前者の構成においては、サイドランプ等の装飾部材は、装着位置にて個別に遊技盤に組み付けられる。一方、後者の構成においては、サイドランプ等の装飾部材は、予め遊技レールに一体化させてから遊技盤に組み付けられることで、遊技盤への組み付けが完了する。
【特許文献１】
特開２００１−３３４０２２号公報
【特許文献２】
特開２００２−８５６７３号公報
【実用新案文献１】
実開平７−３３３８８号公報
【０００３】
【発明が解決しようとする課題】
上述した従来の遊技機においては、次のような課題があった。
前者の構成においては、装飾部材を遊技盤に取り付ける際に、各装飾部材を個別に遊技盤に位置決め、固定をする必要があるため取り付け作業が煩雑であるという課題があり、後者の構成においては、遊技レールとサイドランプ等を一体化させることにより、遊技レールが特定の機種のための専用部材となり、設計変更等に対応し難いという課題があった。
本発明は、上記課題にかんがみてなされたもので、装飾部材と遊技レールを一体化しつつも遊技レールが専用部材化してしまわない遊技機の提供を目的とする。
【０００４】
【課題を解決するための手段】
上記目的を達成するため、請求項１にかかる発明は、遊技球の流下が行われる遊技領域を区画する遊技レールの付近に装飾ユニットが配設される遊技機において、上記装飾ユニットは、上記遊技レールと予め一体化させられるベース部と、上記ベース部に取り付けられる付加部とを具備する構成としてある。
上記のように構成した請求項１にかかる発明において、上記遊技レールと予め一体化させられるベース部と、上記ベース部に取り付けられる付加部とを組み付けることにより、上記装飾ユニットと上記遊技レールとを一体化させることができる。さらに、上記ベース部に取り付ける上記付加部は取り替えることができるため、上記ベース部が予め取り付けられた上記遊技レールが特定の機種の専用部材となることがない。なお、上記装飾ユニットには、少なくとも上記ベース部と上記付加部が含まれていればよく、上記ベース部に直接的に取り付けられることのない他の部材が上記装飾ユニットの構成要素として含まれていてもよい。
【０００５】
ここで、上記遊技レールは遊技領域を区画するものであればよく、遊技領域または発射経路と外部を区画する外側レールであってもよいし、遊技領域と発射経路を区画する内側レールであってもよい。さらに、内側レール、外側レール単体には限られず、これらまたはその他の部材を一体化させたものであってもよい。
【０００６】
手段１
手段１にかかる発明は、請求項１に記載の発明において、上記遊技レールと予め一体化させられた上記ベース部に上記付加部を予め組み付けてから、当該組み付けられた一体化部材を遊技盤に取り付ける構成としてある。
上記のように構成した手段１にかかる発明において、上記遊技レールと上記装飾ユニットは予め一体化させられてから、上記遊技盤に取り付けられる。すなわち、上記遊技レールと上記装飾ユニットとが一体化した部材を上記遊技盤に固定すれば、上記付加部を個別に上記遊技盤に位置決め、固定することを要しないため、上記遊技盤への組み付け作業が簡略化される。
【０００７】
手段２
手段２にかかる発明は、請求項１に記載の発明において、上記上記ベース部と予め一体化させられた遊技レールを上記遊技盤に組み付けたとき、上記ベース部が、予め上記遊技盤に組み付けられた上記付加部を押さえつけるように接合する構成としてある。
上記のように構成した手段２の発明において、予め上記遊技盤に組み付けられた上記付加部は、予め上記ベース部と一体化した上記遊技レールを上記遊技盤に組み付けたとき、上記ベース部に押さえつけられるように接合される。すなわち、予め上記遊技盤に組み付けられた上記付加部の固定が、上記ベース部が押さえつけることにより補強される。
【０００８】
手段３
手段３にかかる発明は、請求項１、手段１から手段２のいずれかに記載の発明において、上記ベース部と上記付加部には、少なくとも対応し合う固定機構が設けられる構成としてある。
上記のように構成した手段３にかかる発明において、上記ベース部と上記付加部とに設けられた互いに対応し合う固定機構により、上記ベース部と上記付加部が一体化する。むろん、上記固定機構を汎用的な形状としておけば、より上記ベース部や上記遊技レールの汎用性は向上する。
【０００９】
手段４
手段４にかかる発明は、手段３に記載の発明において、上記固定機構は、上記ベース部の広範囲にわたって複数設けられる構成としてある。
上記のように構成した手段４にかかる発明において、上記ベース部の広範囲にわたって複数設けられたいずれかの上記固定機構を用いて、上記付加部は上記ベース部と一体化する。すなわち、上記ベース部側の上記固定機構を上記ベース部の広範囲にわたって複箇所設けておけば、上記付加部の配設位置および配設個数が特定されないため、様々な設計変更に対応することができ、予め一体化された上記遊技レールと上記ベース部を汎用部材として使用することが可能となる。従って、設計変更の度に上記遊技レールや上記ベース部を設計変更する必要がなくなるため、生産コストが低減する。
【００１０】
手段５
手段５にかかる発明は、請求項１、手段１から手段４のいずれかに記載の発明において、上記ベース部は、上記遊技レールと一体成型することにより一体化する構成としてある。
上記のように構成した手段５にかかる発明において、上記ベース部と上記遊技レールは一体成型されて形成される。すなわち、部品点数を減少させることができる。
【００１１】
手段６
手段６にかかる発明は、請求項１、手段１から手段４のいずれかに記載の発明において、上記ベース部と上記遊技レールには、対応し合う接合機構が設けられる構成としてある。
上記のように構成した手段６にかかる発明において、上記ベース部と上記遊技レールは、上記ベース部と上記遊技レールに対応させて設けられた接合機構により予め一体化させられる。
【００１２】
手段７
手段７にかかる発明は、手段６に記載の発明において、上記接合機構は、上記遊技レールの広範囲にわたって複数設けられる構成としてある。
上記のように構成した手段７にかかる発明において、上記遊技レールの広範囲にわたって複数設けられたいずれかの上記接合機構を用いて、上記ベース部は上記遊技レールと一体化する。すなわち、上記遊技レール側の上記接合機構を上記遊技レールの広範囲にわたって複箇所設けておけば、上記ベース部の配設位置および配設個数が特定されないため、様々な設計変更に対応することができ、上記遊技レールを汎用部材として使用することが可能となる。従って、設計変更の度に上記遊技レールを設計変更する必要がなくなるため、生産コストが低減する。
【００１３】
手段８
手段８にかかる発明は、手段６から手段７のいずれかに記載の発明において、上記接合機構は、ネジ止め固定によるものである構成としてある。
上記のように構成した手段８にかかる発明において、上記ベース部と上記遊技レールはネジ止め固定により接合させられる。
【００１４】
手段９
手段９にかかる発明は、手段６から手段７のいずれかに記載の発明において、上記接合機構は、係止爪によるものである構成としてある。
上記のように構成した手段９にかかる発明において、上記ベース部と上記遊技レールは上記係止爪により接合させられる。すなわち、上記ベース部と上記遊技レールとの接合作業が簡略化する。
【００１５】
手段１０
手段１０にかかる発明は、手段６から手段９のいずれかに記載の発明において、上記遊技レールには、上記遊技レール側に設けられた上記接合機構に遊技球が衝突しないようにするためのガイドレールが取り付けられる構成としてある。
上記のように構成した手段１０にかかる発明において、上記遊技レールに上記ガイドレールを取り付けることにより、上記遊技レール側に設けられた上記接合機構に遊技球が衝突することが防止でき、遊技球の運動の障害とならない。
【００１６】
手段１１
手段１１にかかる発明は、請求項１、手段１から手段１０のいずれかに記載の発明において、上記ベース部は、上記遊技盤に沿った平面をなして、遊技球の流下面となる構成としてある。
上記のように構成した手段１１にかかる発明において、上記ベース部を上記遊技盤に沿った平面状とすることで、上記ベース部の上を遊技球が流下することができ、遊技球の流下領域を確保することができる。
【００１７】
手段１２
手段１２にかかる発明は、請求項１、手段１から手段１０のいずれかに記載の発明において、上記ベース部は、上記付加部を取り付けたとき、上記付加部により覆い隠される構成としてある。
上記のように構成した手段１２にかかる発明において、上記付加部を取り付けることにより、上記ベース部は覆い隠され遊技者に視認されなくなる。すなわち、上記ベース部自体が装飾性を有していなくても、上記付加部が覆い隠すことにより見栄えのよい上記装飾ユニットを形成することができる。
【００１８】
手段１３
手段１３にかかる発明は、請求項１、手段１から手段１２のいずれかに記載の発明において、上記装飾ユニットはサイドランプである構成としてある。
上記のように構成した手段１３の発明は、サイドランプを上記遊技レールと一体化させることができる。
【００１９】
手段１４
手段１４にかかる発明は、手段１３に記載の発明において、上記サイドランプの発光素子が実装された基板は、上記遊技盤の背面側に備えられるとともに、上記遊技盤には、上記発光素子により発光させた光を前面側に透過させる窓穴が設けられる構成としている。
上記のように構成した手段１４の発明は、上記発光素子が実装された基板を上記遊技盤の背面側に備えるとともに、上記窓穴を通して上記遊技盤の背面側の上記発光素子から発光された光を前面側に導出することで、上記遊技レールに取り付けられる上記サイドランプを点灯することができる。一方、上記発光素子が実装された基板を、電源ユニット等が配設される上記遊技盤の背面に配置することが可能であるため、配線を上記遊技盤の前面側に引き出す必要がなくて組み付けが簡易化する。
【００２０】
手段１５
手段１５にかかる発明は、手段１４に記載の発明において、上記窓穴の壁面には、上記発光素子により発光させた光を前面側に案内するミラー機構が備えられる構成としてある。
上記のように構成した手段１５にかかる発明において、上記窓穴の壁面に備えられたミラー機構により、上記発光素子が発光した光を効率よく前面側に導出させることができる。
【００２１】
手段１６
手段１６にかかる発明は、手段１４から手段１５のいずれかに記載の発明において、上記付加部を上記ベース部に取り付けた状態において、上記遊技レールを上記遊技盤に組み付けたとき、上記窓穴は透光性を有する上記付加部により覆われる構成としてある。
上記のように構成した手段１６にかかる発明において、上記窓穴を透光性を有する上記付加部が覆うことにより、上記窓穴があからさまに遊技者の側に露出することなく見栄えが悪くならないし、発光された光を前面側から視認することができる。また、上記付加部に着色をしておけば発光色を変化させることも可能である。
【００２２】
手段１７
手段１７にかかる発明は、手段１６に記載の発明において、上記付加部は、レンズ機構を備える構成としてある。
上記のように構成した手段１７にかかる発明において、光を乱屈折させるレンズ機構を備える上記付加部を上記窓穴に覆わせることにより、遊技者の側から見て上記窓穴を視認させにくくすることができるとともに、上記発光素子の周辺のみに光が集中するように見えることがない。
【００２３】
手段１８
手段１８にかかる発明は、手段１４から手段１７のいずれかに記載の発明において、上記発光素子が実装された基板は、上記遊技盤の背面にて複数の機構部材が備えられた集合板に取り付けられる構成としてある。
上記のように構成した手段１８にかかる発明において、上記遊技盤の背面にて複数の機構部材が備えられた上記集合板に、上記発光素子が実装された基板が取り付けられる。ここで、上記集合板は遊技盤の背面を広範囲にわたって蓋覆する部材であって、遊技盤の背面にて遊技球を案内する樋や各位置に電源等を供給する配線、同配線に電子機器を接続するための端子、電子部品等の各種構成部材を保持するための固定機構等が備えられる一体的複合部材である。むろん、上記集合板には、上記発光素子を発光させ、上記発光素子が実装された基板を保持するための、配線、端子、固定機構が備えられている。
【００２４】
手段１９
手段１９にかかる発明は、請求項１、手段１〜手段１８のいずれかに記載の発明において、上記装飾ユニットは入賞口である構成としてある。
上記のように構成した手段１９の発明は、上記入賞口を上記遊技レールと一体化させることができる。
【００２５】
手段２０
手段２０にかかる発明は、請求項１、手段１〜手段１９のいずれかに記載の発明において、上記装飾ユニットは表示装置である構成としてある。
上記のように構成した手段２０の発明は、上記表示装置を上記遊技レールと一体化させることができる。
【００２６】
手段２１
手段２１にかかる発明は、請求項１、手段１〜手段２０のいずれかに記載の発明において、上記装飾ユニットは可動入賞口である構成としてある。
上記のように構成した手段２１の発明は、上記可動入賞口を上記遊技レールと一体化させることができる。
【００２７】
手段２２
手段２２にかかる発明は、請求項１、手段１〜手段２１のいずれかに記載の発明において、上記装飾ユニットは風車である構成としてある。
上記のように構成した手段２２の発明は、上記風車を上記遊技レールと一体化させることができる。
【００２８】
手段２３
手段２３にかかる発明は、請求項１、手段１〜手段２２のいずれかに記載の発明において、上記装飾ユニットは遊技球の案内板である構成としてある。
上記のように構成した手段２３の発明は、遊技球の上記案内板を上記遊技レールと一体化させることができる。
【００２９】
手段２４
手段２４にかかる発明は、請求項１、手段１〜手段２３のいずれかに記載の発明において、上記装飾ユニットは遊技盤の前面側に電装部品を備えるとともに、遊技盤の背面側から当該電装部品と電気的に接続する配線を通すための貫通口が上記遊技盤に設けられるとともに、予め上記付加部を上記ベース部に取り付けた状態において、上記遊技レールを遊技盤に組み付けたとき、同貫通口は、上記付加部により覆い隠される構成としてある。
上記のように構成した手段２４にかかる発明において、上記貫通口を通して上記遊技盤の背面側からの配線と接続することにより、前面側に備えられた電装部品を機能させることが可能となる。また、上記貫通口は前面側に露出しては見栄えが悪いため、上記付加部によって覆い隠される。
【００３０】
手段２５
手段２５にかかる発明は、手段２４に記載の発明において、上記配線は上記電装部品から引き出された配線と、遊技盤の背面側から引き出された配線とで構成され、これらを接続するためのコネクタが設けられるとともに、上記付加部を上記ベース部に取り付けた状態において、上記遊技レールを遊技盤に組み付けたとき上記コネクタが接続されるような位置に上記コネクタが配設されている構成としてある。
上記のように構成した手段２５にかかる発明において、上記付加部を上記ベース部に取り付けた状態において、上記遊技レールを遊技盤に組み付けたとき、上記電装部品から引き出された配線と、上記各種基板から引き出された配線とを接続するためのコネクタが丁度接続される。すなわち、上記装飾ユニットを上記遊技レールとともに上記遊技盤に組み付ける際に、個別に配線しておく必要がなく組み付け作業が簡易化する。
【００３１】
手段２６
手段２６にかかる発明は、手段２４から手段２５のいずれかに記載の発明において、上記電装部品と電気的に接続する各種基板は、複数の機構部材が備えられた集合板に取り付けられる構成としてある。
上記のように構成した請求項２６にかかる発明において、複数の機構部材が備えられた集合板に備えられた、固定機構、コネクタ、配線を有効に利用することが可能となる。
【００３２】
【発明の効果】
以上説明したように本発明は、装飾ユニットを遊技レールと一体化させて遊技盤への組み付けを簡略化するとともに、装飾ユニットをベース部と付加部に分割することで、遊技レールが特定の機種のための専用部材となることを防止できる。
また、手段１にかかる発明によれば、装飾ユニットの遊技盤への組み付け作業が簡略化する。
さらに、手段２にかかる発明によれば、装飾ユニットの固定を補強することができる。
さらに、手段３にかかる発明によれば、遊技レールと装飾ユニットとを一体化させることができる。
さらに、手段４にかかる発明によれば、遊技レール、ベース部を汎用部材として使用することができる。
さらに、手段５にかかる発明によれば、部品点数を減少させることができる。
さらに、手段６にかかる発明によれば、ベース部を遊技レールに固定することができる。
【００３３】
一方、手段７にかかる発明によれば、遊技レールを汎用部材として使用することができる。
さらに、手段８にかかる発明によれば、ベース部を遊技レールに確実に固定することができる。
また、手段９にかかる発明によれば、組み付け作業を簡略化することができる。
さらに、手段１０にかかる発明によれば、遊技球は遊技レールに沿ってスムーズに流動することができるとともに、遊技レールの耐久性が向上する。
さらに、手段１１にかかる発明によれば、遊技球の流下領域を確保することができる。
さらに、手段１２にかかる発明によれば、見栄えのよい遊技機を提供することができる。
【００３４】
また、手段１３にかかる発明によれば、サイドランプの遊技盤への組み付け作業を簡略化することができる。
さらに、手段１４にかかる発明によれば、サイドランプへの配線を簡略化することができる。
さらに、手段１５にかかる発明によれば、照明を効率化させることができる。
さらに、手段１６にかかる発明によれば、見栄えのよい遊技機を提供することができる。
さらに、手段１７にかかる発明によれば、見栄えのよい照明をすることができる。
【００３５】
また、手段１８にかかる発明によれば、集合板を有効に利用することができる。
さらに、手段１９にかかる発明によれば、入賞口の遊技盤への組み付け作業を簡略化することができる。
さらに、手段２０にかかる発明によれば、表示装置の遊技盤への組み付け作業を簡略化することができる。
さらに、手段２１にかかる発明によれば、可動入賞口の遊技盤への組み付け作業を簡略化することができる。
さらに、手段２２にかかる発明によれば、風車の遊技盤への組み付け作業を簡略化することができる。
【００３６】
また、手段２３にかかる発明によれば、案内板の遊技盤への組み付け作業を簡略化することができる。
さらに、手段２４にかかる発明によれば、見栄えのよい遊技機を提供することができる。
さらに、手段２５にかかる発明によれば、組み付け作業がさらに簡易化する遊技機を提供することができる。
さらに、手段２６にかかる発明によれば、集合板を有効に利用することができる。
【００３７】
【発明の実施の形態】
以下、図面にもとづいて本発明の実施形態を説明する。
（１）パチンコ遊技機の構成：
（２）第１の実施形態：
（３）第２の実施形態：
（４）第３の実施形態：
（５）第４の実施形態：
【００３８】
（１）パチンコ遊技機の構成：
図１は、本発明にかかる遊技機を適用したパチンコ遊技機を正面から見て示している。同図において、パチンコ遊技機１の外枠１０は、鋼材をプレス加工あるいは木材枠を組み合わせて形成されている。この外枠１０は、矩形板状の樹脂製の本体枠２０よりも僅かに大きいサイズの矩形開口１０ａを有している。この本体枠２０は、矩形開口１０ａの図に向かって左端にて枢支されており、図示しない回転軸を中心に回動し、外枠１０に対して開閉可能かつ着脱可能に装着されている。この本体枠２０の上部には、矩形板状の遊技盤３０が取り付けられている。また、本体枠２０の下部には、遊技球の発射機構４０と、概略矩形形状に形成された樹脂製の流路板５０とが取り付けられている。さらに、当該流路板５０の前面側にて下皿７０が本体枠２０に取り付けられている。遊技盤３０の前面には、下端中央から右巻きに概略一回転する遊技レールが前方へ立設されており、この遊技レールに取り囲まれる略円形の領域が遊技領域３１となっている。
【００３９】
この遊技領域３１は、樹脂製のガラス扉枠６０を介して視認可能となっている。遊技領域３１には、風車や入賞口、パチンコ玉が入賞する入口の大きさが変化する入賞口等が設けられている。さらに、入賞しなかった遊技球をアウト球として回収するアウト球回収口３９や、遊技の状況を表示する表示装置３４などが配設されている。
【００４０】
遊技盤３０の前面側には、樹脂製のガラス扉枠６０が本体枠２０の左端にて枢支されている。このガラス扉枠６０には、遊技領域３１を対面してガラス６１が嵌め込まれているとともに、ガラス６１の周囲を取り囲むように装飾ランプ６２および上皿６３が配設されている。また、ガラス扉枠６０の下方の本体枠２０には、発射機構４０の一部を構成する発射ハンドル４１が取り付けられている。この発射機構４０は、発射ハンドル４１の回転量に応じて遊技球を発射棹にて打ち出し、遊技盤３０に向けて放出する。放出された遊技球は、遊技盤３０の前面側に立設された遊技領域を一周取り囲む遊技レール３３の外側レール３６と、遊技領域の中央下端から左巻きに上記遊技レールに沿って遊技領域の上方まで立接された内側レール３５との間の発射経路３２を通り抜けて、遊技領域３１に投入される。
【００４１】
（２）第１の実施形態：
図２は、第１の実施形態にかかるサイドランプ７１を正面から見て示している。同図において、外側レール３６と内側レール３５とが一体成型された遊技レール３３に、遊技レール３３に沿った帯状のサイドランプ７１が取り付けられている。なお、サイドランプ７１の前面側は、透光性を有するカバーレンズ７１ａで覆われている。そして、このカバーレンズ７１ａの背面側にて発光された光を前面側に透過させて、所望の装飾効果を発揮している。なお、カバーレンズ７１ａは、上段７１ａ１、中段７１ａ２、下段７１ａ３に区画され、全て透光性を有しつつも、それぞれ異なる色に着色されており、背面にて発光された白色光をそれぞれ異なる色彩を有する光に偏光させることが可能となっている。
【００４２】
図３は、カバーレンズ７１ａが遊技レール３３と一体化させられる状態を示している。同図において遊技レール３３の内側に向かって略板状に延出されたベース部３７の係止溝３７ａに、カバーレンズ７１ａから遊技盤３０側に向かって立設された係止爪７１ｂが係合することにより、カバーレンズ７１ａと遊技レール３３は一体化する。なお、ベース部３７と遊技レール３３とは、一体成型により形成されている。また、カバーレンズ７１ａは中空状となっており、内壁に多数の凹凸が形成されることにより、光を乱屈折させることが可能となっている。なお、カバーレンズ７１ａと遊技レール３３が一体化した状態においては、ベース部３７は、前面側からカバーレンズ７１ａによって覆い隠され視認できないようになっている。一方、遊技レール３３には、遊技盤に向かって突出する位置決め突起３３ａおよび、ネジ止め穴３３ｂがそれぞれ設けられている。
【００４３】
図４は、本実施形態にかかる遊技盤を正面から見て示している。同図において、遊技盤３０には遊技レール３３に設けられた位置決め突起３３ａ、ネジ止め穴３３ｂに対応する位置決め穴３０ａと、ネジ止め穴３０ｂが所定の位置に設けられている。一方、破線で示した遊技レール３３の取り付け位置の内側には、カバーレンズ７１ａの外形より、やや小さい帯状の窓穴７２が、遊技盤３０を切削して設けられている。さらに、窓穴７２の内壁面には、前面に向かって開口が大きくなるような勾配を有する枠状のミラー部材７２ａが嵌め込まれている。
【００４４】
そして、窓穴７２の遊技盤３０の背面側には、遊技機の上方から順に発光素子７３ａが実装された基板７３、発光素子７４ａが実装された基板７４、発光素子７５ａが実装された基板７５がそれぞれ、係止爪９３，９４，９５により保持されている。なお、係止爪９３，９４，９５は、遊技盤３０の背面に備えられる集合板９０から前面向かって立設されている。さらに、集合板９０からは、先端に雌コネクタ９３ａ，９４ａ，９５ａを有する配線がメイン基板から引き出されており、同コネクタ９３ａ，９４ａ，９５ａを、基板７３，７４，７５にそれぞれ設けられた雄端子７３ｂ，７４ｂ，７５ｂに挿入させることにより、メイン基板と発光素子７３ａ，７４ａ，７５ａとが電気的に接続されている。
【００４５】
かかる構成により、カバーレンズ７１ａを遊技レール３３と一体化させてから遊技盤３０に組み付けたとき、カバーレンズ７１ａによりベース部３７、窓穴７２、基板７３，７４，７５等が覆い隠されるため、これらが露出して見栄えが悪くなることがない。さらに、カバーレンズ７１ａの裏面には、乱屈折を起こさせる凹凸が設けられるため、発光素子７３ａ，７４ａ，７５ａにて発光させた光をぼんやりと見せることができる、すなわち、上段７１ａ１、中段７１ａ２、下段７１ａ３が全体的に発光しているかのように見せることが可能となる。さらに、上段７１ａ１、中段７１ａ２、下段７１ａ３は、それぞれ異なる色となっているため装飾効果が高い。また、発光素子７３ａ，７４ａ，７５ａにて発光させた光はミラー部材によって反射させられつつ、前面側に案内されるため少ない光源であっても効率よく前面側を照明することが可能となっている。
【００４６】
一方、カバーレンズ７１ａを遊技レール３３と一体化させてから遊技盤３０に組み付けるため、遊技レール３３に備えられた、位置決め突起３３ａを遊技盤３０に備えられた位置決め穴３０ａに嵌め込みつつ、ネジ止め穴３３ｂ，３０ｂを共通のネジで止めることにより、個別に遊技盤３０に対して位置決め、固定することなく、カバーレンズ７１ａを正規の組付け位置に配設することが可能となっている。従って、組み付け作業が簡略化する。
【００４７】
ところで、遊技レール３３にベース部３７を介して取り付けられる装飾部材はカバーレンズ７１ａに限られない。ベース部３７に設けられた係合溝３７ａに係合可能な係止爪を有する部材であれば、取り付けることが可能であって、例えば、図５に示すような、カバーレンズ７１ａ’であってもよい。すなわち、設計変更、型番変更等により、サイドランプのデザインが変更させる場合においても、係合溝３７ａに係合可能な係止爪を有するカバーレンズを新規に用意しておけば、ベース部３７と遊技レール３３とが一体成型した部材を引き続いて利用することが可能となる。
【００４８】
なお、図５において示すカバーレンズ７１ａ’は、カバーレンズ７１ａに備えられた係止爪７１ｂと全く同形状の係止爪７１ｂ’を有することにより、ベース部３７に設けられた係合溝３７ａに係合可能となっている。一方、カバーレンズ７１ａ’の上段７１ａ１’は、遊技球が流下可能な遊技盤３０に沿った平面となっており、発光部が中段７１ａ２’、下段７１ａ３’のみとなっている。この場合、図４に示す遊技盤３０側では、上段７１ａ１に対応する基板７３は不要となるため、基板７３は集合板９０に取り付けずに、雌コネクタ９３ａも接続せずにそのままにしておけばよい。
【００４９】
ここで、集合板９０は、図６に示すように遊技盤３０の背面側を全体的に覆う機構部材であって、複数の機構部材を一体的に統合することで部品点数を減少させ、組み付け作業を簡略化させるための統合部材である。また、集合板９０は、大型かつ複雑な構造を有する部材であり、毎回設計変更するのでは金型製作等のロスが大きいため、複数の機種で共用することができるように設計されている。特に、機種毎に配設位置や配設個数が変更される可能性の高い、遊技盤の前面側の装飾部材へのインターフェースは汎用性を高めるために、集合板９０の全体にわたって複数設けられている。
【００５０】
すなわち、本実施形態は、この集合板９０を有効に利用したものであって、具体的には、窓穴７２の直下に位置する、係止爪、コネクタ、配線を有効に利用したものである。さらに、本実施形態においては、遊技レール３３に取り付けられる装飾部材も、例えばカバーレンズ７１ａ’のように変更可能であるため。遊技レール３３と集合板９０を組み合わせることで、相乗的に遊技機の汎用性、応用性を向上させることができる。むろん、遊技盤に設けられる窓穴の形状を変形させることにより、さらにデザインの自由度を広げることが可能である。この場合、変形した窓穴を覆い隠すことができる装飾部材を選択すればよい。
【００５１】
（３）第２の実施形態：
図７は、第２の実施形態にかかる内側レール１３５および外側レール１３６を正面から見て示している。同図において、案内板１７１、風車１７２および床面１７３とで構成される左側の装飾ユニット１７０ａが内側レール１３５と一体化されている。一方、同様に構成される右側の装飾ユニット１７０ｂは外側レール１３６と一体化されている。
【００５２】
また、図８は、本実施形態にかかる左側の装飾ユニット１７０ａを遊技盤側から見て示している。同図において、床面１７３にはネジ止め固定により風車１７２と案内板１７１がそれぞれ固定されている。なお、床面１７３は外縁部をのぞいてはガラス面側に向かって凹んでいるとともに、さらに全体にわたってグリッド状に円形凹部１７３ａが設けられている。
【００５３】
図９は、図７で示した左側の装飾ユニット１７０ａのＡ−Ａ断面を見て示している。同図において、床面１７３に円形凹部１７３ａは所定の深さで形成されており、ガラス面側には肉薄部が形成される。さらに、当該肉薄部をネジで貫通させることにより風車１７２が固定されている。なお、案内板１７１も同様に、図示しない肉薄部を貫通させてネジ止め固定されている。同肉薄部は、ドライバー等を用いてネジの先端を突き当てれば簡単に貫通することができる厚みになっている。また、案内板１７１、風車１７２を固定するためのネジの頭が遊技盤と干渉しない深さに、床面１７３の外縁部分以外に凹みを設けている。一方、床面１７３のガラス面側の面は案内板１７１、風車１７２が取り付けられた部分以外は平面となっている。なお、案内板１７１、風車１７２、床面１７３にはそれぞれ模様等の装飾が設けられている。
【００５４】
かかる構成により、複雑な機構を要し単一部材で構成することが不可能な風車１７２も内側レール１３５と一体化させることができる。また、床面１７３には広範囲にわたってグリッド状に、ネジ止め固定が可能な凹部１７３ａが設けられているため、床面１７３を介して内側レール１３５と一体化される案内板１７１、風車１７２等の部材の配設位置および個数が特定されない。すなわち、設計変更等により各種装飾部材の配設位置、配設個数等が変更されても柔軟に対応することができる。つまり、内側レールを装飾部材と一体成型部材とすることにより、内側レール１３５が特定の機種の専用部材化してしまうことがない。
【００５５】
また、凹部１７３ａをガラス面側に肉薄となる構成とすることで、簡単にネジを貫通させることができて組み立て作業が簡易化するとともに、ガラス面側は平面となるため、案内板１７１、風車１７２等が取り付けられていない部分においては遊技球は障害なく流下することができる。従って、部材の汎用性を確保するために、ある程度床面１７３を広く形成しても遊技球の流下経路を制限することはない。なお、円形凹部１７３ａの径はネジの径と同等で遊技球の径より十分小さく、ガラス面側に遊技球が衝突しても肉薄部に衝撃が集中しないため、破損する可能性が低い。以上、左側の装飾ユニット１７０ａと内側レール１３５との関係について説明したが、右側の装飾ユニット１７０ｂと外側レール１３６についても全く同様であることは言うまでもない。
【００５６】
（４）第３の実施形態：
図１０は、第３の実施形態にかかる装飾ユニット２７０を正面から見て示している。同図において、装飾ユニット２７０は全体が遊技レール２３３とネジ止め固定により一体化させられている。なお、同図に示す装飾ユニット２７０は、遊技領域の左端に設置される装飾ユニット２７０であって、遊技レール２３３は内側レール２３５と外側レール２３６とが一体成型されている。ここで、装飾ユニット２７０の上方には三個の遊技球の入口が設けられ、そのうち二個は入賞口２７５ａであって、カウンターが備えられることにより入賞球数の情報を取得している。一方、もう一個の入口２７１ａから内部に遊技球を導入するとともに、内部に備えられた案内経路２７１ｃにより遊技球を二手に分岐させて、出口１７１ｂのいずれかから遊技球を排出させる。なお、入賞口２７５ａ、入口２７１ａ、出口１７１ｂ、案内経路２７１ｃは、模様等の装飾が施された装飾板２７１ｄにより蓋覆されている。さらに、装飾ユニット２７０の遊技盤側には発光部２７６が設けられるとともに、遊技盤側にて同発光部２７６から発せられた光をガラス面側に導出するために装飾ユニット２７０の各構造部材は透光性を有している。さらに、装飾板２７１ｄ等の構造部材には細かい凹凸が設けることにより、光を屈折、散乱させている。
【００５７】
かかる構成により、発光による装飾効果の高い装飾ユニット２７０を遊技レール２３３と一体化させることができる。ここで、通常遊技レール２３３は、遊技球が頻繁に衝突するため、汚れや傷が付きやすい。従って、遊技レール２３３の材質としては金属や濃色の合成樹脂等が採用されることが多い。この場合、装飾ユニット２７０の構造部材に透光性を与えつつ、装飾ユニット２７０の構造部材と遊技レール２３３とを一体成型により一体化させることは製造上困難である。そこで、本実施形態においては、予め装飾ユニット２７０と遊技レール２３３とを別部材として形成しておいて、その後ネジ止め固定により一体化させることにより、異種材料で構成される装飾ユニット２７０と遊技レール２３３との一体化を可能としている。
【００５８】
むろん、装飾ユニット２７０と遊技レール２３３とを一体成型せず個別に組み立てているため、複雑な機構、構造を具備させることができる。従って、入賞口２７５ａ、案内経路２７１ｃ、発光部２７６等を具備する複合的な装飾ユニット２７０を遊技レール２３３と一体化させることが可能となっている。
【００５９】
図１１は、本実施形態にかかる装飾ユニット２７０および遊技レール２３３を遊技盤２３０に取り付ける状態を側面から見て示した図である。同図において、装飾ユニット２７０の遊技盤２３０側に突出してプリント基板２７６ｂ、入賞球を遊技盤２３０の背面に導出するための樋２７５ｄ、カウンター２７５ｂ、コネクタ２８０ａがそれぞれネジ止め等により取り付けられている。また、プリント基板２７６ｂにはＬＥＤ２７６ａが備えられ、ＬＥＤ２７６ａはプリント基板２７６ｂを介して配線２７６ｃと接続されている。さらに、配線２７６ｃおよびカウンタ２７５ｂからの配線２７５ｃはコネクタ２８０ａに接続されている。
【００６０】
一方、遊技盤２３０には、これらを収容するとともに、遊技盤２３０の背面からの配線をするための貫通穴２３０ｃが設けられている。なお、貫通穴２３０ｃにはコネクタ２８０ａに対応するコネクタ２８０ｂが、遊技レール２３３を同遊技レール２３３の遊技盤側に備えられた位置決め突起２３３ａを遊技盤２３０に備えられた位置決め穴２３３ａに嵌め込みつつ正規位置に取り付けたとき、自ずとコネクタ２８０ａ，２８０ｂが接続、係止する位置に取り付けられている。また、コネクタ２８０ｂは遊技盤２３０の背面に備えられた各種基板の所定の端子に配線２８０ｃにより接続されている。
【００６１】
かかる構成により、電気的な接続を必要とする各構成部材に配線することが可能であるとともに、遊技盤２３０に、装飾ユニット２７０と遊技レール２３３とを一体化させたものを組み付ける際、個別に配線をする必要がない。従って、装飾ユニット２７０と遊技レール２３３とが一体化して大型の部材となった状態で、一部の配線を接続した後に、さらに他の配線の接続作業をしたり、全体を位置決め固定することは、すでに配線されている半田付け等による接続部を不用意に引っ張ったりして、同接続部を破損させ接続不良を発生させるおそれがあるが、このような構成とすれば、一度で同時に全ての配線の接続が完了するため問題はない。特に、遊技レールが外側レールと内側レールとを一体化させたものである場合であって、遊技領域の左右両側に装飾ユニットが取り付けられる場合において有効となる。
【００６２】
図１２は、本実施形態にかかる装飾ユニット２７０を遊技レール２３３にネジ止め固定する状態を斜めから見た状態を示している。同図において、入賞口２７５ａ等の構成部材の組み付けが完了した装飾ユニット２７０は、内側レール２３５にネジ止め穴２３５ａに、装飾ユニット２７０側のネジ止め穴を一致させられつつ、固定ネジ２９０により固定させられる。なお、固定ネジ２９０は、皿ネジであるとともに、同固定ネジ２９０の頭部に嵌合する面取りがネジ止め穴２３５ａにされている。また、ネジ止め穴２３５ａは内側レール２３５の全体にわたって等間隔に多数設けられている。さらに、外側レール２３６にも内側レール２３５のネジ止め穴２３５ａに対応して貫通穴２３６ａが設けられている。また、装飾ユニット２７０の内側レール２３５への取り付けが完了すると、外側レール２３６および内側レール２３５のネジ止め穴２３５ａおよび貫通穴２３６ａを塞ぐための金属製のガイドレール２３５ｂ，２３６ｂがそれぞれ接着されて取り付けられる。
【００６３】
かかる構成により、ドライバー等の先端工具を使用して、装飾ユニット２７０を内側レール２３５に固定することができるとともに、ガイドレール２３５ｂ，２３６ｂにより、ネジ止め穴２３５ａ、貫通穴２３６ａが露出して遊技球の運動に障害を及ぼすことが防止できる。特に、皿ネジ２９０をネジ止め穴２３５ａに嵌合させることでガイドレール２３６ｂは平滑な面を形成できる。また、ガイドレール２３５ｂ，２３６ｂは金属製であるため遊技レール２３３の耐久性を向上させることができる。また、ネジ止め穴２３５ａを内側レール２３５の全体にわたって等間隔に多数設けたことで、装飾ユニットの配設箇所が限定されない。すなわち、装飾ユニット側のネジ止め穴のピッチを遊技レール側のものと一致させておけば、本実施例の装飾ユニット２７０とは異なる装飾ユニットであっても取り付けることができるし、その配設位置も広範囲にわたって選択できる。さらに、配設個数も限定されることはない。すなわち、遊技レール２３３は汎用的に使用できる。
【００６４】
（５）第４の実施形態：
以上、遊技レールと装飾ユニットを遊技盤に組み付ける以前に一体化させる態様のものを説明したが、本発明において、遊技レールと装飾ユニットは結果的に一体的に遊技盤に取り付けられていればよく、以下に示す第４の実施形態のような態様のものであってもよい。
【００６５】
図１３は、第４の実施形態にかかる装飾ユニットを正面から見た状態を示している。同図において、遊技盤３３０に遊技レール３３３および装飾ユニット３７０が取り付けられている。なお、本実施形態において遊技レール３３３は、内側レール３３５と外側レール３３６とが一体化されている。また、遊技レール３３３と装飾ユニット３７０の間には遊技レール３３３と一体成型された係合レール３３５ｂが介在している。図１４は、本実施形態にかかる遊技レール３３３を遊技盤側から見た状態を示している。同図において内側レール３３５のさらに内側には、内側レール３３５に沿うように配列された遊技盤側に向かって開口する係止口が多数設けられた係合レール３３５ｂが設けられている。
【００６６】
また、図１５は、装飾ユニット３７０が遊技盤３３０に取り付けられた状態を正面から見た状態を示している。同図において、可変入賞口３７７および液晶表示装置３７８が備えられた床面３７３を有する装飾ユニット３７０は、ネジ止め穴３７３ｂにより二点で遊技盤３３０に固定されている。なお、液晶表示装置３７８は入賞球の数を表示する。一方、床面３７３の内側レール側には、係止爪３７３ａが複数内側レール３３５の円弧に合わせる態様で整列されている。さらに、図１６は図１３で示したＢ−Ｂ断面図により示している。同図において、遊技盤３３０に設けられた穴３３０ａに収容するように、装飾ユニット３７０の遊技盤側には突出して入賞球樋３７７ａ、図示しない入賞口３７７を可動させるためのソレノイド、入賞球のカウンター等が配線３７７ｂにより各種基板と接続されて配設されている。また、装飾ユニット３７０の遊技盤３３０に対する位置決めは突起３７３ｃを穴３３０ａの壁面に当接させて行っている。
【００６７】
以上説明した本実施形態における遊技レール３３３および装飾ユニット３７０の組み付け手順を以下に説明する。まず、予めユニットとして形成された装飾ユニット３７０を遊技盤３３０に対して位置決めしつつ、ネジ止め穴３７３ｂにより二点固定する。そして、遊技レール３３３を遊技盤３３０に対して位置決めしつつ外側レール３３６のさらに外側に設けられたネジ止め固定穴にて遊技盤３３０に固定する。このとき、遊技レール３３３の係合レール３３５ｂは装飾ユニット３７０の一辺を押さえ込むような態様となるとともに、自然と係止爪３７３ａと係合レール３３５ｂの係止口が図１６に示すように係合する。
【００６８】
かかる構成により、装飾ユニット３７０のネジ止め固定は二点と少ないものの、確実に装飾ユニット３７０を遊技盤３３０に固定することができる。すなわち、ネジ止め数が減少できて、遊技盤への組み付け作業が簡略できる。一方、係合レール３３５ｂの係止口は広範囲にわたって多数設けられているため、装飾ユニットの配設箇所は限定されない。従って、上述と同様の理由により、遊技レール２３３は汎用的に使用できる。
【図面の簡単な説明】
【図１】本発明にかかる遊技機を適用したパチンコ遊技機の正面図
【図２】第１の実施形態にかかるサイドランプの正面図
【図３】第１の実施形態にかかる遊技レールにランプカバーを取り付ける状態を示す斜視図
【図４】第１の実施形態にかかる遊技レールが取り付けられる前の遊技盤の状態を示す正面図
【図５】第１の実施形態にかかるサイドランプの変形例を示す斜視図
【図６】第１の実施形態にかかる遊技盤の背面図
【図７】第２の実施形態にかかる内側レールおよび外側レールの正面図
【図８】第２の実施形態にかかる左側の装飾ユニットを遊技盤側から見た背面図
【図９】第２の実施形態にかかる装飾ユニットのＡ−Ａ断面図
【図１０】第３の実施形態にかかる装飾ユニットの正面図
【図１１】第３の実施形態にかかる装飾ユニットおよび遊技レールを遊技盤に取り付ける状態の側面図
【図１２】第３の実施形態にかかる装飾ユニットを遊技レールにネジ止め固定する状態の斜視図
【図１３】第４の実施形態にかかる装飾ユニットの正面図
【図１４】第４の実施形態にかかる遊技レールを遊技盤側から見た背面図
【図１５】第４の実施形態にかかる装飾ユニットが遊技盤に取り付けられた状態の正面図
【図１６】第４の実施形態にかかる装飾ユニットのＢ−Ｂ断面図
【符号の説明】
１…パチンコ遊技機
１０…外枠
２０…本体枠
３０…遊技盤
３１…遊技領域
３３，２３３，２３３，３３３…遊技レール
３４…表示装置
３５，１３５，２３５，３３５…内側レール
４０…発射機構
４１…発射ハンドル
５０…流路板
６０…ガラス扉枠
６１…ガラス
６２…装飾ランプ
６３…上皿
７０…下皿
７１…サイドランプ
７２…窓穴
９４…係止爪
１７１…案内板
１３６，２３６，３３６…外側レール
１７２…風車
１７３，３７３…床面
２３０，３３０…遊技盤
２７０，３７０…装飾ユニット
２７６…発光部
２９０…固定ネジ
３７７…可変入賞口
３７８…液晶表示装置
【図１】
2004267543.tif 000003
【図２】
2004267543.tif 000004
【図３】
2004267543.tif 000005
【図４】
2004267543.tif 000006
【図５】
2004267543.tif 000007
【図６】
2004267543.tif 000008
【図７】
2004267543.tif 000009
【図８】
2004267543.tif 000010
【図９】
2004267543.tif 000011
【図１０】
2004267543.tif 000012
【図１１】
2004267543.tif 000013
【図１２】
2004267543.tif 000014
【図１３】
2004267543.tif 000015
【図１４】
2004267543.tif 000016
【図１５】
2004267543.tif 000017
【図１６】
2004267543.tif 000018